【手続補正書】
【提出日】平成20年9月12日(2008.9.12)
【手続補正１】
【補正対象書類名】特許請求の範囲
【補正対象項目名】全文
【補正方法】変更
【補正の内容】
【特許請求の範囲】
【請求項１】
ライナーを少なくとも１つの表面の少なくとも一部分に設けることを含む方法であって、前記ライナーが、
（ａ）イソシアネート基を持つ少なくとも１種類のプレポリマーと、
（ｂ）イソシアネート反応基を持つ少なくとも１種類のポリマーと、
（ｃ）少なくとも１種類の重合性反応性希釈剤と
の反応による生成物を含み、
前記表面が金属またはガラス以外の少なくとも１種類の無機鉱物を含むが、但し、前記表面が通行可能な表面以外の表面であることを条件とする、方法。
【請求項２】
（ａ）岩、石、コンクリート、れんが、化粧しっくい、およびそれらの組み合わせよりなる群から選択された少なくとも１種類の物質を含む少なくとも１つの表面の少なくとも一部に、
（１）イソシアネート基を持つ少なくとも１種類のプレポリマーであって、前記プレポリマーが、少なくとも１種類のポリオールを少なくとも１種類の芳香族ポリイソシアネートと反応させてイソシアネート基を持つウレタン含有ポリマーを生じさせることにより生成され、イソシアネート基を持つ前記ウレタン含有ポリマーが、未反応の芳香族ポリイソシアネートを除去するか、またはイソシアネート基に対して反応性がある化合物を用いて未反応の芳香族ポリイソシアネートを消失させることにより少なくとも部分的に精製される、プレポリマー；
（２）イソシアネート反応基を持つ少なくとも１種類のポリマーであって、イソシアネート反応基を持つ前記ポリマーが、ヒドロキシル基、アミノ基、およびそれらの混合物よりなる群から選択された活性水素含有基を持つ、ポリカーボネート、ポリエーテル、ポリエステル、およびそれらの組み合わせよりなる群から選択される、ポリマー；および
（３）少なくとも１種類のラジカル重合性モノマー
を適用することと；
（ｂ）適用された前記成分を反応させて、適用された前記成分の反応生成物を含むライナーを形成することと
を含む方法であって；
前記表面が通行可能な表面以外の表面である、方法。
【請求項３】
（ａ）イソシアネート基を持つ少なくとも１種類のプレポリマーと
（ｂ）イソシアネート反応基を持つ少なくとも１種類のポリマーと
（ｃ）少なくとも１種類の重合性反応性希釈剤と
（ｄ）膨張性グラファイトと
の反応による生成物を含むライナー。
【請求項４】
請求項１又は２のいずれかに記載の方法で作製されたライナーによって、又は請求項３に記載のライナーによって、少なくとも部分的にライニングが施されている採掘坑。
【請求項５】
請求項１又は２のいずれかに記載の方法で作製されたライナーによって、又は請求項３に記載のライナーによって、少なくとも部分的にライニングが施されている、少なくとも１つの通行不能な表面を有する建築構造物。
【請求項６】
（ａ）第一組成物であって、
（１）イソシアネート基を持つ少なくとも１種類のプレポリマー、および
（２）本質的にイソシアネート反応基を含まない少なくとも１種類の重合性反応性希釈剤を含む組成物と；
（ｂ）前記第一組成物と組み合わせると反応してライナーとしての使用に適した物質を生成する、イソシアネート反応基を持つ少なくとも１種類のポリマーを含む第二組成物と
を含むキットであって、
前記キットが膨張性グラファイトをさらに含む、キット。
【請求項７】
（ａ）第一組成物であって、
（１）イソシアネート反応基を持つ少なくとも１種類のポリマー、および
（２）本質的にイソシアネート基を含まない少なくとも１種類の重合性反応性希釈剤を含む組成物と；
（ｂ）前記第一組成物と組み合わせると反応してライナーとしての使用に適した物質を生成する、イソシアネート基を持つ少なくとも１種類のプレポリマーを含む第二組成物と
を含むキットであって、
前記キットが膨張性グラファイトをさらに含む、キット。
【手続補正２】
【補正対象書類名】明細書
【補正対象項目名】００６６
【補正方法】変更
【補正の内容】
【００６６】
ここに引用した特許、特許文献、刊行物の参考記述は、それぞれが個別に開示されている場合のように、ここでの参照によりその全体が開示されたものとする。本発明の範囲と精神から逸脱しない範囲で、本発明のさまざまな予見できない修正や変更は当業者にとっては明らかになるであろう。本発明が、ここに述べた説明のための実施態様や実施例によって不当にも限定されないこと、およびそのような実施例や実施態様は例として示されているものであり、本発明の範囲は、次のとおりここに述べる特許請求の範囲によってのみ限定されることを意図したものであることを理解すべきである。本発明の実施態様の一部を以下に列記する。
（１）
ライナーを少なくとも１つの表面の少なくとも一部分に設けることを含む方法であって、前記ライナーが、
（ａ）イソシアネート基を持つ少なくとも１種類のプレポリマーと、
（ｂ）イソシアネート反応基を持つ少なくとも１種類のポリマーと、
（ｃ）少なくとも１種類の重合性反応性希釈剤と
の反応による生成物を含み、
前記表面が金属またはガラス以外の少なくとも１種類の無機鉱物を含むが、但し、前記表面が通行可能な表面以外の表面であることを条件とする、方法。
（２）
前記表面が、岩、石、コンクリート、れんが、化粧しっくい、およびそれらの組み合わせよりなる群から選択された少なくとも１種類の物質を含む、項目１に記載の方法。
（３）
前記表面が、岩、石、およびそれらの組み合わせよりなる群から選択された少なくとも１種類の物質を含む、項目２に記載の方法。
（４）
前記表面が洞穴内の表面である、項目１に記載の方法。
（５）
前記表面が採掘坑内の表面である、項目１に記載の方法。
（６）
前記プレポリマーが、少なくとも１種類のポリオールを少なくとも１種類のポリイソシアネートと反応させてイソシアネート基を持つウレタン含有ポリマーを生じさせることにより生成される、項目１に記載の方法。
（７）
未反応のポリイソシアネートを除去するか、またはイソシアネート基に対して反応性がある化合物を用いて未反応のポリイソシアネートを消失させることにより、イソシアネート基を持つ前記ウレタン含有ポリマーが少なくとも部分的に精製される、項目６に記載の方法。
（８）
前記ポリオールが、ポリエステル、ポリエーテル、ポリカーボネート、ポリエーテルポリエステル、アクリルポリオール、およびそれらの混合物よりなる群から選択される、項目６に記載の方法。
（９）
前記ポリイソシアネートが芳香族ポリイソシアネートである、項目６に記載の方法。
（１０）
前記ポリイソシアネートが、トリレンジイソシアネート（ＴＤＩ）、ヘキサメチレンジイソシアネート（ＨＤＩ）、メチレンジフェニルイソシアネート（ＭＤＩ）、キシレンジイソシアネート（ＸＤＩ）、およびそれらの混合物よりなる群から選択される、項目６に記載の方法。
（１１）
イソシアネート反応基を持つ前記ポリマーが、ポリカーボネート、ポリエーテル、ポリビニル芳香族、ポリビニルエステル、ポリアクリル、ポリエステル、およびそれらの組み合わせよりなる群から選択され、活性水素含有基を持っている、項目１に記載の方法。
（１２）
前記活性水素含有基が、アミノ基、チオ基、カルボキシル基、ヒドロキシル基、およびそれらの混合物よりなる群から選択される、項目１１に記載の方法。
（１３）
前記活性水素含有基が、アミノ基、ヒドロキシル基、およびそれらの混合物よりなる群から選択される、項目１２に記載の方法。
（１４）
前記反応性希釈剤がラジカル重合性モノマーである、項目１に記載の方法。
（１５）
前記ラジカル重合性モノマーが、アクリロイル官能性モノマー、メタクリロイル官能性モノマー、およびそれらの混合物よりなる群から選択される、項目１４に記載の方法。
（１６）
前記ライナーが膨張性グラファイトをさらに含む、項目１に記載の方法。
（１７）
前記ライナーが少なくとも約１ＭＰａの４時間後引張り強さを示す、項目１に記載の方法。
（１８）
前記ライナーが少なくとも約１０パーセントの破断点伸びを示す、項目１に記載の方法。
（１９）
前記ライナーの厚さが少なくとも約０.５ｍｍである、項目１に記載の方法。
（２０）
（ａ）岩、石、コンクリート、れんが、化粧しっくい、およびそれらの組み合わせよりなる群から選択された少なくとも１種類の物質を含む少なくとも１つの表面の少なくとも一部に、
（１）イソシアネート基を持つ少なくとも１種類のプレポリマーであって、前記プレポリマーが、少なくとも１種類のポリオールを少なくとも１種類の芳香族ポリイソシアネートと反応させてイソシアネート基を持つウレタン含有ポリマーを生じさせることにより生成され、イソシアネート基を持つ前記ウレタン含有ポリマーが、未反応の芳香族ポリイソシアネートを除去するか、またはイソシアネート基に対して反応性がある化合物を用いて未反応の芳香族ポリイソシアネートを消失させることにより少なくとも部分的に精製される、プレポリマー；
（２）イソシアネート反応基を持つ少なくとも１種類のポリマーであって、イソシアネート反応基を持つ前記ポリマーが、ヒドロキシル基、アミノ基、およびそれらの混合物よりなる群から選択された活性水素含有基を持つ、ポリカーボネート、ポリエーテル、ポリエステル、およびそれらの組み合わせよりなる群から選択される、ポリマー；および
（３）少なくとも１種類のラジカル重合性モノマー
を適用することと；
（ｂ）適用された前記成分を反応させて、適用された前記成分の反応生成物を含むライナーを形成することと
を含む方法であって；
前記表面が通行可能な表面以外の表面である、方法。
（２１）
前記表面が、岩、石、およびそれらの組み合わせよりなる群から選択された少なくとも１種類の物質を含む、項目２０に記載の方法。
（２２）
前記表面が洞穴内の表面である、項目２０に記載の方法。
（２３）
前記表面が採掘坑内の表面である、項目２０に記載の方法。
（２４）
前記ポリオールがポリエーテルポリオールである、項目２０に記載の方法。
（２５）
前記芳香族ポリイソシアネートがトリレンジイソシアネートである、項目２０に記載の方法。
（２６）
イソシアネート反応基を持つ前記ポリマーがポリエーテルである、項目２０に記載の方法。
（２７）
前記活性水素含有基が第一級または第二級アミノ基である、項目２０に記載の方法。
（２８）
前記ラジカル重合性モノマーが、アクリロイル官能性モノマー、メタクリロイル官能性モノマー、およびそれらの混合物よりなる群から選択される、項目２０に記載の方法。
（２９）
前記ライナーが、少なくとも約１ＭＰａの４時間後引張り強さおよび少なくとも約１０パーセントの破断点伸びを示し、前記ライナーの厚さが少なくとも約０．５ｍｍである、項目２０に記載の方法。
（３０）
（ａ）イソシアネート基を持つ少なくとも１種類のプレポリマーと
（ｂ）イソシアネート反応基を持つ少なくとも１種類のポリマーと
（ｃ）少なくとも１種類の重合性反応性希釈剤と
（ｄ）膨張性グラファイトと
の反応による生成物を含むライナー。
（３１）
項目１に記載の方法で作製されたライナーによって少なくとも部分的にライニングが施されている採掘坑。
（３２）
項目２０に記載の方法で作製されたライナーによって少なくとも部分的にライニングが施されている採掘坑。
（３３）
項目３０に記載のライナーによって少なくとも部分的にライニングが施されている採掘坑。
（３４）
項目１に記載の方法で作製されたライナーによって少なくとも部分的にライニングが施されている、少なくとも１つの通行不能な表面を有する建築構造物。
（３５）
項目２０に記載の方法で作製されたライナーによって少なくとも部分的にライニングが施されている、少なくとも１つの通行不能な表面を有する建築構造物。
（３６）
項目３０に記載のライナーによって少なくとも部分的にライニングが施されている、少なくとも１つの通行不能な表面を有する建築構造物。
（３７）
（ａ）第一組成物であって、
（１）イソシアネート基を持つ少なくとも１種類のプレポリマー、および
（２）本質的にイソシアネート反応基を含まない少なくとも１種類の重合性反応性希釈剤を含む組成物と；
（ｂ）前記第一組成物と組み合わせると反応してライナーとしての使用に適した物質を生成する、イソシアネート反応基を持つ少なくとも１種類のポリマーを含む第二組成物と
を含むキットであって、
前記キットが膨張性グラファイトをさらに含む、キット。
（３８）
（ａ）第一組成物であって、
（１）イソシアネート反応基を持つ少なくとも１種類のポリマー、および
（２）本質的にイソシアネート基を含まない少なくとも１種類の重合性反応性希釈剤を含む組成物と；
（ｂ）前記第一組成物と組み合わせると反応してライナーとしての使用に適した物質を生成する、イソシアネート基を持つ少なくとも１種類のプレポリマーを含む第二組成物と
を含むキットであって、
前記キットが膨張性グラファイトをさらに含む、キット。